(57)【特許請求の範囲】
【請求項１】
携帯通信部と、この携帯通信部と同一筐体内に設けられた放送信号の受信機から成り、前記携帯通信部は、携帯通信部用のアンテナと、このアンテナに接続された送信・受信の切替え部と、この切替え部の一方の端子に接続された高周波の通信信号の受信部と、この受信部の出力に接続された復調部と、この復調部の出力に接続された制御部と、この制御部の出力に接続された音声出力器と、音声入力器と、この音声入力器に接続された変調部と、この変調部の出力と前記切替え部の他方の端子間に接続された高周波の通信信号の送信部とから成り、前記放送信号の受信機は、放送信号受信用のアンテナと、このアンテナに接続された選局部と、この選局部の出力に接続された復調部と、この復調部の出力に接続された処理部と、この処理部の出力と前記制御部の出力を選択的に接続する表示部を設け、前記携帯通信部用のアンテナに入力される制御信号に基づいて前記受信機の電源をオンするテレビ付き携帯通信装置において、前記放送信号の受信機は、携帯通信部の使用周波数より低い周波数の放送信号を受信し、この受信機の選局部は、放送信号受信用のアンテナの信号が供給されるとともに、前記放送信号を通過させるローパスフィルタと、このローパスフィルタの出力が接続された増幅器と、この増幅器の出力が接続されたチューナ部と、このチューナ部の出力が供給される出力端子とを有し、前記アンテナと前記ローパスフィルタとの間に前記携帯通信部で使用される周波数を阻止するトラップ回路が挿入されたテレビ付き携帯通信装置。
【請求項２】
番組情報供給会社から送信される制御信号に基づいて、制御部に接続されたメモリに予め放送信号のチャンネル番号と、この番組の電源のオンあるいはオフの時間を格納し、当該オン時間になったときに、前記メモリで指定されたチャンネルを受信し選局部で選局し、表示部に表示する請求項１記載のテレビ付き携帯通信装置。
【請求項３】
携帯通信部に設けられたキーボードから制御部に接続されたメモリに予め放送信号のチャンネル番号と、この番組の電源のオンあるいはオフの時間を格納し、当該オン時間になったときに、前記メモリで指定されたチャンネルを受信し選局部で選局し、表示部に表示する請求項１記載のテレビ付き携帯通信装置。
【請求項４】
オン時間になったとき報知手段で報知する請求項２記載のテレビ付き携帯通信装置。
【請求項５】
放送信号を処理部に接続された第２のメモリに録画する請求項１記載のテレビ付き携帯通信装置。
【請求項６】
トラップ回路は、インダクタとキャパシタが直列接続された請求項１記載のテレビ付き携帯通信装置。
【請求項７】
トラップ回路は、インダクタとキャパシタが並列接続された請求項１記載のテレビ付き携帯通信装置。
【請求項８】
トラップ回路とローパスフィルタとは多層基板上に形成されるとともに、前記トラップ回路を形成する第１のインダクタと、前記ローパスフィルタを形成する第２のインダクタとの間にはグランドプレーンが設けられた請求項１記載のテレビ付き携帯通信装置。
【請求項９】
トラップ回路を形成する第１のインダクタは、チップ部品で形成されるとともに、このチップ部品はリフロー半田付けされた請求項８記載のテレビ付き携帯通信装置。
【請求項１０】
トラップ回路を形成する第１のインダクタには調整用のパターンインダクタを直列に設けるとともに、このパターンインダクタをレーザートリミングで調整可能とした請求項８記載のテレビ付き携帯通信装置。
【請求項１１】
アンテナは、同調アンテナとした請求項１記載のテレビ付き携帯通信装置。
【請求項１２】
携帯通信部と、この携帯通信部と同一筐体内に設けられた放送信号の受信機から成り、前記携帯通信部は携帯通信部のアンテナに接続されたアンテナスイッチと、このアンテナスイッチの一方の端子に接続されたフィルタと、このフィルタの出力が接続された低雑音増幅器と、この低雑音増幅器の出力が一方の入力に接続されるとともに、他方の入力には第１の局部発振器の出力が接続された第１の混合器と、この第１の混合器の出力が接続された第１の復調器と、この第１の復調器の出力が接続された第１の音声出力器と、音声を電気信号に変換する音声入力器と、この音声入力器の出力が接続された変調器と、この変調器の出力が一方の入力に接続されるとともに、他方の入力には前記第１の局部発振器の出力が接続された第２の混合器と、この第２の混合器の出力が接続された電力増幅器と、この電力増幅器の出力と前記アンテナスイッチの他方の端子との間に接続されたローパスフィルタとから成り、前記放送信号の受信機は、放送信号が入力されるアンテナと、このアンテナに接続された高周波増幅器と、この高周波増幅器の出力が一方の入力に接続されるとともに、他方の入力には第２の局部発振器の出力が接続された第３の混合器と、この第３の混合器の出力が接続されたバンドパスフィルタと、このバンドパスフィルタの出力が供給される第２の復調器と、この第２の復調器の画像出力端子に接続された表示部と、前記第２の復調器の音声出力端子に接続された第２の音声出力器とから成り、前記携帯通信部用のアンテナに入力される制御信号に基づいて前記受信機の電源をオンにするテレビ付き携帯通信装置において、放送信号受信用のアンテナと前記高周波増幅器との間に、前記放送信号を通過させるローパスフィルタを設け、前記アンテナと前記ローパスフィルタとの間に前記携帯通信部で使用される周波数を阻止するトラップ回路が挿入され、前記第２の局部発振器から出力される発振周波数は、前記アンテナスイッチの一方の端子へ入力される周波数や前記電力増幅器から出力される周波数や前記第１の局部発振器から出力される周波数とは異なる周波数としたテレビ付き携帯通信装置。
【請求項１３】
放送信号と第２の局部発振器とが混合されて第３の混合器から出力される中間周波数信号は１２０２ＭＨｚ以上であって、且つ１２０８ＭＨｚ以下と成るように設定された請求項１２記載のテレビ付き携帯通信装置。
【請求項１４】
電波を放送する放送局と、この電波を受信するテレビ付き携帯通信装置と、前記放送局から放送される番組の放送時間情報を保有する番組情報供給会社と、この番組情報供給会社と通信回線で接続された電話会社とから成り、前記番組情報供給会社は前記電話会社を介して前記テレビ付き携帯通信装置からの視聴希望番組をメモリに格納する手段と、この格納手段に格納された前記視聴希望番組が前記放送局から放送される放送時間情報とを照合する照合手段とを有し、この照合手段による照合結果を制御信号として、前記テレビ付き携帯通信装置の持つ識別番号とともに前記電話会社を介して前記テレビ付き携帯通信装置に向かって送信し、前記テレビ付き携帯通信装置には請求項１に記載のテレビ付き携帯通信装置を用いた情報配信システム。
【請求項１５】
番組情報供給会社は、テレビ付き携帯通信装置からの視聴希望番組の要求回数を識別番号別に積算して記憶する第２の格納手段を有した請求項１４記載の情報配信システム。
【請求項１６】
番組情報供給会社は、テレビ付き携帯通信装置からの視聴希望番組に基づいて予め定められた分類ごとにその回数を計数した第３の格納手段を有し、この第３の格納手段に格納された前記分類と類似する放送番組がある場合は、その情報を前記電話会社を介して前記テレビ付き携帯通信装置に向かって送信する請求項１４記載の情報配信システム。
【発明の詳細な説明】
【０００１】
【発明の属する技術分野】
本発明は、携帯通信部と放送信号の受信機とが同一筐体内に実装されたテレビ付き携帯通信装置とこれを用いた情報配信システムに関するものである。
【０００２】
【従来の技術】
以下、従来のテレビ放送信号の受信機について説明する。従来のテレビ放送信号の受信機は、視聴者本人がテレビ番組表を見て、希望する放送時間になったら電源をオンしていた。
【０００３】
【発明が解決しようとする課題】
しかしながらこのような従来のテレビ放送信号の受信機では、視聴者が予め番組表を見ない場合とか、あるいは予定の時間がきても電源をオンするのを忘れて、見たい放送番組を見逃してしまうという問題があった。
【０００４】
そこで本発明は、この問題を解決したもので、自動的に受信機の電源をオンするとともに希望する放送を受信するテレビ付き携帯通信装置を提供することを目的としたものである。
【０００５】
【課題を解決するための手段】
この目的を達成するために本発明のテレビ放送信号の受信器は、携帯通信部と、この携帯通信部と同一筐体内に設けられた放送信号の受信機から成り、前記携帯通信部は、携帯通信部用のアンテナと、このアンテナに接続された送信・受信の切替え部と、この切替え部の一方の端子に接続された高周波の通信信号の受信部と、この受信部の出力に接続された復調部と、この復調部の出力に接続された制御部と、この制御部の出力に接続された音声出力器と、音声入力器と、この音声入力器に接続された変調部と、この変調部の出力と前記切替え部の他方の端子間に接続された高周波の通信信号の送信部とから成り、前記放送信号の受信機は、放送信号受信用のアンテナと、このアンテナに接続された選局部と、この選局部の出力に接続された復調部と、この復調部の出力に接続された処理部と、この処理部の出力と前記制御部の出力を選択的に接続する表示部を設け、前記携帯通信部用のアンテナに入力される制御信号に基づいて前記受信機の電源をオンするテレビ付き携帯通信装置において、前記放送信号の受信機は、携帯通信部の使用周波数より低い周波数の放送信号を受信し、この受信機の選局部は、放送信号受信用のアンテナの信号が供給されるとともに、前記放送信号を通過させるローパスフィルタと、このローパスフィルタの出力が接続された増幅器と、この増幅器の出力が接続されたチューナ部と、このチューナ部の出力が供給される出力端子とを有し、前記アンテナと前記ローパスフィルタとの間に前記携帯通信部で使用される周波数を阻止するトラップ回路が挿入されたテレビ付き携帯通信装置であり、これにより、テレビ放送信号の受信器は自動的に放送信号の受信器の電源をオンするとともに希望放送を受信するので、見たい放送番組を見逃すことはない。
【０００６】
【発明の実施の形態】
本発明の請求項１に記載の発明は、携帯通信部と、この携帯通信部と同一筐体内に設けられた放送信号の受信機から成り、前記携帯通信部は、携帯通信部用のアンテナと、このアンテナに接続された送信・受信の切替え部と、この切替え部の一方の端子に接続された高周波の通信信号の受信部と、この受信部の出力に接続された復調部と、この復調部の出力に接続された制御部と、この制御部の出力に接続された音声出力器と、音声入力器と、この音声入力器に接続された変調部と、この変調部の出力と前記切替え部の他方の端子間に接続された高周波の通信信号の送信部とから成り、前記放送信号の受信機は、放送信号受信用のアンテナと、このアンテナに接続された選局部と、この選局部の出力に接続された復調部と、この復調部の出力に接続された処理部と、この処理部の出力と前記制御部の出力を選択的に接続する表示部を設け、前記携帯通信部用のアンテナに入力される制御信号に基づいて前記受信機の電源をオンするテレビ付き携帯通信装置において、前記放送信号の受信機は、携帯通信部の使用周波数より低い周波数の放送信号を受信し、この受信機の選局部は、放送信号受信用のアンテナの信号が供給されるとともに、前記放送信号を通過させるローパスフィルタと、このローパスフィルタの出力が接続された増幅器と、この増幅器の出力が接続されたチューナ部と、このチューナ部の出力が供給される出力端子とを有し、前記アンテナと前記ローパスフィルタとの間に前記携帯通信部で使用される周波数を阻止するトラップ回路が挿入されたテレビ付き携帯通信装置である。以上の構成より、テレビ放送信号の受信機は前記携帯通信部用のアンテナに制御信号が入力されると前記放送信号受信機の電源を自動的にオンにするので、見たい放送番組を見逃すことはない。
【０００７】
さらに受信機には携帯通信部の周波数を阻止するトラップ回路が挿入されているので、携帯通信部の影響が放送信号の受信機に与えられることはない。従って、放送信号の受信機の映像が乱れることはない。
【０００８】
また増幅器の入力にはローパスフィルタが設けられているのでトラップ回路の影響を直接受けることはなく安定した増幅ができる。
【０００９】
請求項２に記載の発明は、番組情報供給会社から送信される制御信号に基づいて、制御部に接続されたメモリに予め放送信号のチャンネル番号と、この番組の電源のオンあるいはオフの時間を格納し、当該オン時間になったときに、前記メモリで指定されたチャンネルを受信し選局部で選局し、表示部に表示する請求項１記載のテレビ付き携帯通信装置であり、これによりあらかじめ前記番組情報供給会社に視聴したい番組を予約登録しておけば、見たい放送番組が放送される時間とチャンネル番号の情報を前記メモリに予め格納しておくことができるので、指定時間になれば自動的に視聴希望番組の受信が開始され番組を見逃すことはない。
【００１０】
また、番組情報供給会社から送られる視聴したい放送番組の放送時間とチャンネル番号の情報を前記メモリに予め格納することができるので、たとえ視聴希望番組が開始された時点で、携帯通信器を使用していたとしても、視聴希望の番組を見逃すことはなくなる。
【００１１】
さらに、番組情報供給会社への予約は電話等の通信手段で行えるので、番組情報供給会社のオペレータなどに対して、口頭で視聴したい内容や、現在の位置等を伝えれば、番組情報供給会社がその希望に適合する地域の番組や、放送チャンネルを選定し、その情報を送信することにより、その番組の開始時間や放送チャンネルを知らずとも予約することができる。
【００１２】
請求項３記載の発明は、携帯通信部に設けられたキーボードから制御部に接続されたメモリに予め放送信号のチャンネル番号と、この番組の電源のオンあるいはオフの時間を格納し、当該オン時間になったときに、前記メモリで指定されたチャンネルを受信し選局部で選局し、表示部に表示する請求項１記載のテレビ付き携帯通信装置であり、これにより移動等により最寄りの放送局が変わる場合に、容易に視聴希望番組のチャンネルの変更が可能である。また、全ての予約をキーボードを用いて入力することもできる。
【００１３】
請求項４記載の発明は、オン時間になったとき報知手段で報知する請求項２記載のテレビ付き携帯通信装置であり、これにより視聴希望番組が放送開始時点に携帯通信装置を使用していたとしても、視聴希望番組の放送が開始されたことを知ることができるので、視聴希望番組を見逃すことはない。
【００１４】
請求項５記載の発明は、放送信号を処理部に接続された第２のメモリに録画する請求項１記載のテレビ付き携帯通信装置であって、これによりたとえ視聴希望番組が開始された時点で、携帯通信器を使用していたとしても、視聴希望の番組を見逃すことはなくなる。従って、後から時間のあるときにゆっくり視聴することができる。
【００１５】
請求項６記載の発明のトラップ回路は、インダクタとキャパシタが直列接続された請求項１記載のテレビ付き携帯通信装置であり、インダクタとキャパシタが直列接続された簡単な回路であるので低価格化が可能になる。
【００１６】
請求項７記載の発明のトラップ回路は、インダクタとキャパシタが並列接続された請求項１記載のテレビ付き携帯通信装置であり、並列回路で構成されているので、グランドの影響を受けにくく、安定した特性のトラップ回路が形成できる。
【００１７】
また、この場合インピーダンスを高くすることができるので、トラップ回路をローパスフィルタの後に挿入することもできる。
【００１８】
請求項８記載の発明は、トラップ回路とローパスフィルタとは多層基板上に形成されるとともに、前記トラップ回路を形成する第１のインダクタと、前記ローパスフィルタを形成する第２のインダクタとの間にはグランドプレーンが設けられた請求項１記載のテレビ付き携帯通信装置であり、トラップ回路とローパスフィルタの間にはグランドプレーンが設けられているので、それぞれが干渉することはなく独立したフィルタ特性を得ることができる。
【００１９】
請求項９記載の発明は、トラップ回路を形成する第１のインダクタは、チップ部品で形成されるとともに、このチップ部品はリフロー半田付けされた請求項８記載のテレビ付き携帯通信装置であり、チップ部品を使用しているのでインダクタンスの精度を高くすることができる。またチップ部品をリフロー半田付しているので、セルフアライメント効果によって所定の位置に精度良く実装することができ、正確なトラップ回路周波数を設定することができる。また、チップ部品で形成されたインダクタはＱが高いので、減衰特性の良好なトラップを得ることができる。従って、確実に携帯通信部の周波数を阻止することができる。
【００２０】
請求項１０記載の発明は、トラップ回路を形成する第１のインダクタには調整用のパターンインダクタを直列に設けるとともに、このパターンインダクタをレーザートリミングで調整可能とした請求項８記載のテレビ付き携帯通信装置であり、インダクタを調整することが可能であるので、正確なトラップ周波数に設定することができる。従って、携帯通信装置の周波数を確実に阻止することができる。
【００２１】
請求項１１記載の発明は、アンテナは、同調アンテナとした請求項１記載のテレビ付き携帯通信装置であって、これにより受信感度を向上させることができる。
【００２２】
請求項１２記載の発明は、携帯通信部と、この携帯通信部と同一筐体内に設けられるとともに放送信号の受信機から成り、前記携帯通信部は携帯通信部のアンテナに接続されたアンテナスイッチと、このアンテナスイッチの一方の端子に接続されたフィルタと、このフィルタの出力が接続された低雑音増幅器と、この低雑音増幅器の出力が一方の入力に接続されるとともに、他方の入力には第１の局部発振器の出力が接続された第１の混合器と、この第１の混合器の出力が接続された第１の復調器と、この第１の復調器の出力が接続された第１の音声出力器と、音声を電気信号に変換する音声入力器と、この音声入力器の出力が接続された変調器と、この変調器の出力が一方の入力に接続されるとともに、他方の入力には前記第１の局部発振器の出力が接続された第２の混合器と、この第２の混合器の出力が接続された電力増幅器と、この電力増幅器の出力と前記アンテナスイッチの他方の端子との間に接続されたローパスフィルタとから成り、前記放送信号の受信機は、放送信号が入力されるアンテナと、このアンテナに接続された高周波増幅器と、この高周波増幅器の出力が一方の入力に接続されるとともに、他方の入力には第２の局部発振器の出力が接続された第３の混合器と、この第３の混合器の出力が接続されたバンドパスフィルタと、このバンドパスフィルタの出力が供給される第２の復調器と、この第２の復調器の画像出力端子に接続された表示部と、前記第２の復調器の音声出力端子に接続された第２の音声出力器とから成り、前記携帯通信部用のアンテナに入力される制御信号に基づいて前記受信機の電源をオンにするテレビ付き携帯通信装置において、放送信号受信用のアンテナと前記高周波増幅器との間に、前記放送信号を通過させるローパスフィルタを設け、前記アンテナと前記ローパスフィルタとの間に前記携帯通信部で使用される周波数を阻止するトラップ回路が挿入され、前記第２の局部発振器から出力される発振周波数は、前記アンテナスイッチの一方の端子へ入力される周波数や前記電力増幅器から出力される周波数や前記第１の局部発振器から出力される周波数とは異なる周波数としたテレビ付き携帯通信装置であり、このような第２の局部発振器の発振周波数を選ぶことにより、携帯通信部と放送信号の受信機との間に、夫々単独の携帯通信部或いは放送信号の受信機に設けられた個別のシールドとは別に特別のシールド板を設けなくても、第２の局部発振器の発振周波数が携帯通信部に妨害を与えることは無く、小型化を図ることができる。このことにより、特別のシールド板が無くとも携帯通信装置に雑音が入ることはない。
【００２３】
また、第１の局部発振器の出力や電力増幅器の出力が第２の局部発振器に妨害を与えることも無いので、Ｃ／Ｎが悪くなってエラーが増加するようなことも無い。
【００２４】
請求項１３記載の発明は、放送信号と第２の局部発振器とが混合されて第３の混合器から出力される中間周波数信号は１２０２ＭＨｚ以上であって、且つ１２０８ＭＨｚ以下と成るように設定された請求項１２記載のテレビ付き携帯通信装置であり、これにより中間周波数により容易に妨害周波数が生成しないように管理することができる。
【００２５】
請求項１４記載の発明は、電波を放送する放送局と、この電波を受信するテレビ付き携帯通信装置と、前記放送局から放送される番組の放送時間情報を保有する番組情報供給会社と、この番組情報供給会社と通信回線で接続された電話会社とから成り、前記番組情報供給会社は前記電話会社を介して前記テレビ付き携帯通信装置からの視聴希望番組をメモリに格納する手段と、この格納手段に格納された前記視聴希望番組が前記放送局から放送される放送時間情報とを照合する照合手段とを有し、この照合手段による照合結果を制御信号として、前記テレビ付き携帯通信装置の持つ識別番号とともに前記電話会社を介して前記テレビ付き携帯通信装置に向かって送信し、前記テレビ付き携帯通信装置には請求項１に記載のテレビ付き携帯通信装置を用いた情報配信システムであり、この構成により、前記番組情報供給会社は前記テレビ付き携帯通信装置からの視聴希望番組をメモリに格納し、この格納された前記視聴希望番組情報と合致する番組が放送される最寄の放送局のチャンネルや放送開始時間等を照合あるいは確認し、テレビ付き携帯通信装置に送信するので、視聴希望者は希望した番組の開始時に自動的に電源が入り、番組を見逃すことはない。
【００２６】
さらに、番組情報供給会社への予約は携帯通信部で行えるので、番組情報供給会社のオペレータなどに対して、口頭で視聴したい内容や、現在の位置等を伝えれば、番組情報供給会社がその希望に適合する番組や、放送チャンネルを選定し、その情報を送信することにより、その番組の開始時間や放送チャンネルを知らずとも予約することができる。
【００２７】
さらにまた、テレビ付き携帯通信装置には請求項１に記載のテレビ付き携帯通信装置を用いているので、受信機には携帯通信部の周波数を阻止するトラップ回路が挿入されている。これにより、携帯通信部の影響が放送信号の受信機に与えられることはない。従って、放送信号の受信機の映像が乱れることはない。また、増幅器の入力にはローパスフィルタが設けられているのでトラップ回路の影響を直接受けることはなく安定した増幅ができる。
【００２８】
請求項１５記載の発明は、番組情報供給会社は、テレビ付き携帯通信装置からの視聴希望番組の要求回数を識別番号別に積算し記憶する第２の格納手段を有した請求項１４記載の情報配信システムであり、これにより番組情報供給会社は識別番号ごとの要求回数や内容に応じて、その使用料金を徴収することができる。
【００２９】
請求項１６記載の発明は、番組情報供給会社は、テレビ付き携帯通信装置からの視聴希望番組に基づいて予め定められた分類ごとにその回数を計数した第３の格納手段を有し、この第３の格納手段に格納された前記分類と類似する放送番組がある場合は、その情報を前記電話会社を介して前記テレビ付き携帯通信装置に向かって送信する請求項１４記載の情報配信システムであって、これにより放送番組表等を見なくとも、好きな分類の番組の放送が有ることを知ることができる。
【００３０】
以下、本発明の実施の形態について、図面を用いて説明する。
【００３１】
（実施の形態１）
図１は、実施の形態１における情報通信システムにおけるテレビ付携帯通信装置のブロック図である。図１において、１はテレビ付携帯通信装置であり、２は、テレビ電波を送出する放送局である。３は放送局２の放送情報を有している番組情報供給会社であり、４はこの番組情報供給会社３と通信回線９で結ばれた電話会社である。
【００３２】
実施の形態１では、先ずテレビ付携帯通信装置１について説明する。テレビ付携帯通信装置１は、携帯通信部１１とテレビの放送信号受信機部１２から構成されている。携帯通信部（いわゆる携帯電話）１１は受信機部と送信機部とからなり、受信機部は、携帯通信部用のアンテナ１３と、このアンテナ１３に接続された送信・受信の切替え部１４と、この切替え部１４の一方の端子１４ａに接続された高周波信号の受信部１５と、この受信部１５の出力に接続された復調部１６と、この復調部１６の出力に接続された制御部１７と、この制御部１７に接続されたメモリ１８及び音声出力器１９とで構成されている。一方送信機部は、音声入力器２０と、この音声入力器２０に接続された変調部２１と、この変調部２１の出力と切替え部１４の他方の端子１４ｂとの間に接続された高周波信号の送信部２２から構成されている。なお、制御部１７にはキーボードも接続されており、放送受信機のオン・オフ或いは受信チャンネル情報をこのキーボードから制御部１７を介して直接メモリ１８に入力することもできる。
【００３３】
また、テレビの放送信号受信機部１２は、放送局２から放送される電波を受信するアンテナ２５と、このアンテナ２５に接続されたバンドパスフィルタ２６と、このバンドパスフィルタ２６の出力が一方の入力に接続されるとともに、他方の入力にはＰＬＬ回路２７とループ接続された局部発振器２８の出力が接続された混合器２９と、この混合器２９の出力が接続された復調部３０と、この復調部３０の出力に接続された処理部３１と、この処理部３１の出力に接続された音声出力器３２とメモリ３３とで構成されている。
【００３４】
また、３４は電子的に構成された切替え器であり、表示部３５に接続されている。そしてこの、切替え器３４の一方の端子３４ａは制御部１７に接続され、他方の端子３４ｂは処理部３１に接続されている。そして、制御部１７からの制御により表示部３５は、携帯通信部１１とテレビ受信部１２と選択的に接続されるものである。
【００３５】
３７はスイッチであり、テレビ受信部１２の電源をオン・オフするものであり、制御部１７からの制御によりオン・オフされる。３８はこのスイッチ３７に接続された電池である。なお、バンドパスフィルタ２６と、ＰＬＬ回路２７と、局部発振器２８と、混合器２９とで選局部３６を構成している。また、メモリ３３は大規模メモリであり、テープなどが使用されることもある。そして、テレビ番組のドラマ等をそのまま記録することができる。
【００３６】
以上のように構成されたテレビ付携帯通信装置１の動作を説明する。なお、詳細には実施の形態５にも述べるが簡単にその内容も含めて説明する。例えば、操作者がひいき球団の選手のプレイを見たい場合を考える。先ず要求事項は音声で音声入力器２０に入力され、この音声は電気信号に変換されて変調器２１で搬送波で変調される。そしてその信号は送信部２２で電力増幅されてアンテナ１３から電話会社４を介して番組情報供給会社３に向けて送信される。
【００３７】
また、番組情報供給会社３からは電話会社４を介して、例えば図２に示すように、電話番号（識別番号）４０に続いて前記選手のプレイするチャンネル番号４１と、オン又はオフする時間４２を回答する。その信号は電話会社４を介してアンテナ１３で受信され、受信部１５で増幅された後、復調部１６で復調されて制御部１７に入力される。そして、図２に示す情報の内容はメモリ１８に格納される。
【００３８】
一方、放送局２からの電波はアンテナ２５で受信され、選局部３６で希望する放送局２を選局する。選局された信号は復調部３０で復調されて処理部３１を経て表示部３５に表示される。即ち、制御部１７では、メモリ１８と内蔵時計とを参照して、オン時間４２になれば自動的にスイッチ３７をオンする。そして、チャンネル番号４１の放送局からの電波を受信すべく、制御部１７でＰＬＬ回路２７に選局データを設定する。このようにして選局部３６で希望する放送局２を選局するとともに切替え器３４を処理部３１側の端子３４ｂへ切替える。このことにより、操作者は時間がくれば忘れることなくひいき球団の選手のプレーを見ることができる。
【００３９】
また、見たい放送がドラマのように長時間であって、後から暇なときに見たいような場合には、その放送をメモリ３３に格納しておいて、後から見ることもできる。
【００４０】
（実施の形態２）
実施の形態２では、複数の番組を予約することが可能なテレビ付携帯通信装置１について述べる。即ち、操作者は複数の番組を一度に予約したいとき等に、番組情報供給会社３へ電話会社４を介して申し込む。すると、番組情報供給会社３からは図３に示すように該当するチャンネル番号４３、その番組のオン時間４４、及びオフ時間４５を電話会社４を介して送信してくる。この情報が複数個４６あるときには、その全部を送信してくる。
【００４１】
この情報は携帯通信部１１のメモリ１８に格納される。そして、該当する時間になったら、テレビの放送信号受信部１２のスイッチ３７をオンして表示部３５に当該番組を映し出す。また、指定された時間が来れば自動的にスイッチ３７でオフされる。従って、省エネルギーを図ることができる。
【００４２】
また、この番組予約は、携帯通信部１１の制御部１７に設けられているキーボードを用いて操作者が直接メモリ１８に格納することもできる。この場合も同様に、該当する時間になったら、テレビの放送信号受信部１２のスイッチ３７をオンして表示部３５に該当する番組を映し出す。また、指定された時間が来ればスイッチ３７でオフされる。
【００４４】
（実施の形態３）
実施の形態３は、テレビ付携帯通信装置の内、主にテレビの放送信号受信部について述べている。図４は本発明の実施の形態３におけるテレビ付携帯通信装置のブロック図である。本実施の形態において、５０はアンテナであり、本実施の形態では同調アンテナを用いている。従って、受信感度を向上させることができる。５１はアンテナ５０に接続されたトラップ回路である。
【００４５】
このトラップ回路５１は、携帯通信部５６で使用する周波数を除去するものであり、本実施の形態ではインダクタとキャパシタの直列回路で形成されている。このトラップ回路５１は直列回路で形成されているので、キャパシタの容量を大きくするとともに、インダクタの値を小さくすることにより、Ｑを大きくすることができる。従って、キャパシタにチップコンデンサを用い、インダクタにパターンインダクタンスを用いることにより、小型化を実現することができる。
【００４６】
また、トラップ回路５１をインダクタとキャパシタの並列回路で形成することもできる。この場合は並列回路で形成されているので、キャパシタの容量を小さくするとともに、インダクタの値を大きくすることにより、Ｑを大きくすることができる。また、並列回路であるので、グランドに対して絶縁されており、グランド配線の影響を受けない安定した性能を得ることができる。更に、ローパスフィルタ５２との位置を交換することもできる。
【００４７】
５２は、トラップ回路５１の出力に接続されたローパスフィルタであり、携帯通信部５６での使用周波数を除去するため、ほぼ９００ＭＨｚ以上の周波数をカットするものである。またこのローパスフィルタの出力は、増幅器５３を介してチューナ部５４に接続されている。このチューナ部５４の出力は出力端子５５に接続されている。また、５６は９００ＭＨｚ帯で送受信する携帯通信部、或いは１．５ＭＨｚ帯で送受信する携帯通信部である。
【００４８】
ここで、チューナ部５４として、トラップ回路５１と、ローパスフィルタ５２と、増幅器５３とを含めてチューナとし、金属製のシールドケースに収納しても良い。
【００４９】
図５は、トラップ回路５１とローパスフィルタ５２の通過特性であり、横軸５７は周波数（ＭＨｚ）であり、縦軸５８はローパスフィルタ５２から出力された出力レベルである。６０はテレビ信号の通過領域でありほぼ８００ＭＨｚである。従ってこの８００ＭＨｚ以上の周波数を阻止するためのローパスフィルタ５２が挿入されており、この特性を６１に示す。
【００５０】
ここで、このローパスフィルタ５２のみとすると、例えば携帯通信部５６の周波数６２は９００ＭＨｚであり、特性６１の６２ａはそのレベルである。このローパスフィルタ５２のみでは、そのレベルは特性６１の点線部に示すようにあまり減衰しない。従って、携帯通信部５６が近傍にあると、その携帯通信部５６の信号が放送信号の受信器に入力され画面が乱れるものである。そこでトラップ周波数がほぼ９００ＭＨｚ（又は１．５ＭＨｚ）のトラップ回路５１を設けることにより特性６４に示すようなトラップ特性を有するようになる。従って、全体として実線で示した特性６５となり、携帯通信部５６を近傍で使用したとしても携帯通信部５６の周波数は放送信号の受信機に影響を与えることはない。
【００５１】
また、トラップ回路５１はインダクタとキャパシタの直列回路で構成された簡単な回路であるが、このトラップ回路５１と増幅器５３との間にはローパスフィルタ５２が設けられているので、増幅器５３の入力インピーダンスは、このトラップ回路５１の影響を受けることなく、安定した増幅を行うことができるものである。
【００５２】
図６は、多層基板７０に形成されたトラップ回路５１とローパスフィルタ５２の要部断面図である。図６において多層基板７０の部品面７１には、トラップ回路５１を構成するチップインダクタ７２と、ローパスフィルタ５２を構成するチップキャパシタ７３が装着してある。また、７４はローパスフィルタ５２を構成するパターンインダクタであり３層目に組み込まれている。そしてこのパターンインダクタ７４とトラップ回路５１のチップインダクタ７２との間にはグランドプレーン７５が挿入されている。従って、チップインダクタ７２とパターンインダクタ７４とがお互い干渉することなく独立したフィルタ特性を得ることができる。また、トラップ回路５１において、チップインダクタ７２を用いているが、パターンインダクタを用いることもできる。
【００５３】
図７はその一例である。すなわち同調アンテナ５０に接続される信号線７６とグランド７７との間に、調整用のパターンインダクタ７８と、パターンインダクタ７９と、キャパシタ８０の直列接続体が接続されている。そしてこの調整用のパターンインダクタ７８の調整部７８ａをレーザートリミングで調整することにより正確なインダクタンスを得ることができる。このことによりトラップ周波数を携帯通信部５６の周波数に合わせることができる。
【００５４】
チップ部品７２，７３はリフロー半田付けされている。これはリフロー半田を使用することによりセルフアライメント効果により、チップ部品７２，７３は定められた位置に固定させるためにある。従って、このチップ部品７２，７３の近傍のパターンインダクタンスの値が一定となり安定した性能を得ることができる。
【００５５】
（実施の形態４）
以下、実施の形態４について、図面に基づいて説明する。図８は、本発明の実施の形態４におけるテレビ付き携帯通信装置８１の回路図である。本発明のテレビ付き携帯通信装置８１は、携帯通信部８２と放送受信機８３とが同一筐体内に実装されたものである。そして、携帯通信部８２はアンテナ８４に接続されたアンテナスイッチ８５と、このアンテナスイッチ８５の一方の端子に接続されたＳＡＷ（表面弾性波）フィルタ８６と、このＳＡＷフィルタ８６の出力が接続された低雑音増幅器８７と、この低雑音増幅器８７の出力が一方の入力に接続されるとともに、他方の入力には局部発振器８８の出力が接続された混合器８９と、この混合器８９の出力が接続された復調器９０と、この復調器９０の出力が接続された音声出力器（スピーカ又はレシーバ）９１と、音声を電気信号に変換する音声入力器（マイクロフォン）９２と、この音声入力器９２の出力が接続された変調器９３と、この変調器９３の出力が一方の入力に接続されるとともに、他方の入力には局部発振器８８の出力が接続された混合器９４と、この混合器９４の出力が接続された電力増幅器９５と、この電力増幅器９５の出力とアンテナスイッチ８５の他方の端子との間に接続されたローパスフィルタ９６と、前記局部発振器８８にループ接続されたＰＬＬ回路９７とから構成されている。
【００５６】
また、放送受信機８３は、地上波ディジタル信号が入力されるアンテナ１００と、このアンテナ１００に接続された高周波増幅器１０１、この高周波増幅器１０１の出力が一方の入力に接続されるとともに、他方の入力には局部発振器１０２の出力が接続された混合器１０３と、この混合器１０３の出力が接続されたバンドパスフィルタ１０４と、このバンドパスフィルタ１０４の出力が一方の入力に接続されるとともに、他方の入力には局部発振器１０５の出力が接続された混合器１０６と、この混合器１０６の出力が接続された復調器１０７と、この復調器１０７の画像出力端子に接続された画像表示器（液晶ディスプレイ又はブラウン管等）１０８と、復調器１０７の音声出力端子に接続された音声出力器１０９と、前記局部発振器１０２にループ接続されたＰＬＬ回路１１０とから構成されている。
【００５７】
ここで、放送受信機８３のアンテナ１００に入力されるディジタル地上波信号は、ＶＨＦ帯（９０ＭＨｚ〜２２０ＭＨｚ）とＵＨＦ帯（４７０ＭＨｚ〜７７０ＭＨｚ）とから成り、携帯通信装置８１の使用周波数は、ＰＤＣの１．５ＭＨｚ帯（１２７０ＭＨｚ〜１５００ＭＨｚ）とＷＣＤＭＡ帯（１９２０ＭＨｚ〜２１７０ＭＨｚ）とから成る。
【００５８】
このような、周波数帯に使用する放送受信機８３の混合器１０３から出力される中間周波数を１２０５ＭＨｚに設定するように、局部発振器１０２の周波数を制御して、携帯通信部８２と放送受信機８３間の悪影響を防止している。なお、この中間周波数は、１２０２ＭＨｚ以上１２０８ＭＨｚであれば良く、本実施の形態ではその中間の値（１２０５ＭＨｚ）に設定することにより、より余裕度の大きな安全性を確保している。
【００５９】
このような値に設定することにより、局部発振器１０２から出力される発振周波数は、アンテナスイッチ８５の一方の端子へ入力される周波数（携帯通信部の受信周波数）や電力増幅器９５から出力される周波数（携帯通信部の送信周波数）及び局部発振器８８から出力される周波数と異なる周波数にすることができる。
【００６０】
このように局部発振器１０２の発振周波数を選ぶことにより、携帯通信部８２と放送受信機８３との間に、夫々単独の携帯通信部８２或いは放送受信機８３に設けられた個別のシールドとは別に特別のシールド板を設ける必要はない。即ち、局部発振器１０２の発振周波数が携帯通信部８２に妨害を与えることは無く、小型化を図ることができる。従って、特別のシールド板が無くとも携帯通信装置８１に雑音が入ることはない。
【００６１】
また、局部発振器８８の出力や電力増幅器９５の出力が局部発振器１０２に妨害を与えることも無いので、放送受信機８３のＣ／Ｎが悪くなってエラーが増加するようなことも無い。
【００６２】
また、局部発振器１０２から出力される周波数は、混合器１０３から出力される中間周波数信号で管理しているので、容易に妨害周波数が生成しないように管理することができる。
【００６３】
（実施の形態５）
実施の形態５は、テレビ付携帯通信装置１を用いた情報配信システムのブロック図である。なお、本実施の形態ではテレビ付携帯通信装置として、実施の形態１のテレビ付携帯通信装置１を用いて説明するが、これは実施の形態１に限ることはなく、実施の形態３或いは実施の形態４のテレビ付携帯通信装置であっても良い。
【００６４】
図９において、１はテレビ付携帯通信装置であり、携帯通信部１１と同一筐体内にテレビの放送信号受信機部１２が内蔵されたものである。２はテレビ電波の放送局であり、図９には一つのみ記載されているが、実際には夫々独立して異なる番組を放送する複数個の放送局が存在する。３は番組情報供給会社である。そしてこの番組情報供給会社３には、制御部５と、この制御部５に接続された第１のメモリ（格納手段の一例として用いた）６と、第２のメモリ（格納手段の一例として用いた）７と、第３のメモリ（格納手段の一例として用いた）８とを有している。またこの番組情報供給会社３は通信回線９で電話会社４に接続されている。
【００６５】
そして、テレビ付携帯通信装置１は携帯通信部１１のアンテナ１３と電話会社４とは電波を使って通信することができる。また、放送局２から放送される番組は、テレビ付携帯通信装置１のテレビ受信機部１２で受信することができる。
【００６６】
このように構成された情報配信システムにおいて、例えば、客が相撲番組のうちひいき力士の出る場面を見たいとき、その旨を携帯通信部１１のアンテナ１３から電話会社４を介して番組情報供給会社３に電話する。番組情報供給会社３では、放送局２から放送される相撲番組を監視していて、客が希望するひいき力士が出場したら、客の電話番号（識別番号の一例として用いた）とともに、当該相撲番組の放送されるチャンネル番号と開始時間（テレビ受信機のオン時間）を電話会社４を介して、テレビ付携帯通信装置１の携帯通信部１１に送信する。携帯通信部１１側では、テレビ受信機部１２の電源をオンして、放送局２から放送されているひいき力士の相撲の様子を見る。
【００６７】
なお、このとき、テレビ付携帯通信装置１から警報音或いは警報光が発せられる。このようにすることにより、客はひいき力士の相撲を忘れることなく見ることができる。
【００６８】
また、このような情報配信システムを利用した場合、番組情報供給会社３では、客の電話番号毎の視聴番組の要求回数を第１のメモリ６に格納しておく、そして予め定められた期間ごとに集計して利用料金を客に請求する。
【００６９】
また、客からは複数の視聴番組の要求もある。そのときには、電話番号毎に図３にしめすような内容（チャンネル番号４３、オン時間４４、オフ時間４５）を検索して第２のメモリ７に格納するとともに客に知らせる。
【００７０】
また、客からの要求を図１０に示すように、電話番号４７と、番組の分類４８毎に利用回数を第３のメモリ８に格納しておく。そして、例え、客からの要求がなくとも、客の好みと類似した番組があれば客のテレビ付携帯通信装置１の携帯通信装置１１に知らせる。このことにより、客が知らなくとも自分の興味ある番組を見ることができる。
【００７１】
【発明の効果】
以上のように本発明によれば、携帯通信部と、この携帯通信部と同一筐体内に設けられた放送信号の受信機から成り、前記携帯通信部は、携帯通信部用のアンテナと、このアンテナに接続された送信・受信の切替え部と、この切替え部の一方の端子に接続された高周波の通信信号の受信部と、この受信部の出力に接続された復調部と、この復調部の出力に接続された制御部と、この制御部の出力に接続された音声出力器と、音声入力器と、この音声入力器に接続された変調部と、この変調部の出力と前記切替え部の他方の端子間に接続された高周波の通信信号の送信部とから成り、前記放送信号の受信機は、放送信号受信用のアンテナと、このアンテナに接続された選局部と、この選局部の出力に接続された復調部と、この復調部の出力に接続された処理部と、この処理部の出力と前記制御部の出力を選択的に接続する表示部を設け、前記携帯通信部用のアンテナに入力される制御信号に基づいて前記受信機の電源をオンするテレビ付き携帯通信装置において、前記放送信号の受信機は、携帯通信部の使用周波数より低い周波数の放送信号を受信し、この受信機の選局部は、放送信号受信用のアンテナの信号が供給されるとともに、前記放送信号を通過させるローパスフィルタと、このローパスフィルタの出力が接続された増幅器と、この増幅器の出力が接続されたチューナ部と、このチューナ部の出力が供給される出力端子とを有し、前記アンテナと前記ローパスフィルタとの間に前記携帯通信部で使用される周波数を阻止するトラップ回路が挿入されたテレビ付き携帯通信装置であり、これにより、テレビ放送信号の受信器は自動的に放送信号の受信器の電源をオンするので、見たい放送番組を見逃すことはない。
【００７２】
また、上記放送信号の受信機は上記携帯通信部と同一の筐体内に収められているので、上記制御信号を発信する会社への予約は、電話等の通信手段で行うことができる。従って、上記会社のオペレータなどがいる場合、口頭で視聴したい内容や、現在の位置等を伝えれば、番組情報供給会社がその希望に適合する番組や、放送チャンネルを選定し、その情報を送信することにより、その番組の開始時間や放送チャンネルを知らずとも予約することができる。
【００７３】
さらに、上記会社がインターネット上で予約受け付け等を行っている場合、非常に簡単に視聴希望番組の予約を行うこともできる。
【００７４】
さらに受信機には携帯通信部の周波数を阻止するトラップ回路が挿入されているので、携帯通信部の影響が放送信号の受信機に与えられることはない。従って、放送信号の受信機の映像が乱れることはない。
【００７５】
また増幅器の入力にはローパスフィルタが設けられているのでトラップ回路の影響を直接受けることはなく安定した増幅ができる。
【図面の簡単な説明】
【図１】  本発明の実施の形態１におけるテレビ付き携帯通信装置のブロック図
【図２】  同、番組情報供給会社から供給される制御信号の伝送フォーマットを示す図
【図３】  同、本発明の実施の形態２における番組情報供給会社から供給される制御信号の伝送フォーマットを示す図
【図４】  本発明の実施の形態３におけるテレビ付き携帯通信装置のブロック図
【図５】  同、テレビ放送受信機に使用するフィルタの特性図
【図６】  同、プリント基板の要部断面図
【図７】  同、フィルタの回路図
【図８】  本発明の実施の形態４におけるテレビ付き携帯通信装置のブロック図
【図９】  本発明の実施の形態５における情報配信システムのブロック図
【図１０】  同、番組情報供給会社における制御信号のメモリマップを示す図
【符号の説明】
１  テレビ付き携帯通信装置
２  放送局
１１  携帯通信部
１２  受信機
１３  アンテナ
１４  切替え部
１５  受信部
１６  復調部
１７  制御部
１９  音声出力器
２０  音声入力器
２１  変調部
２２  送信部
２５  アンテナ
３０  復調部
３１  処理部
３５  表示部
３６  選局部
【図１】
0003945241.tif 000002
【図２】
0003945241.tif 000003
【図３】
0003945241.tif 000004
【図４】
0003945241.tif 000005
【図５】
0003945241.tif 000006
【図６】
0003945241.tif 000007
【図７】
0003945241.tif 000008
【図８】
0003945241.tif 000009
【図９】
0003945241.tif 000010
【図１０】
0003945241.tif 000011